(57)【要約】      （修正有）【課題】飛沫感染を防止する。【解決手段】第三者の飛沫が飲食料品にかかることを防止するためのフードカバー１００であって、表面と裏面とを有する折り曲げることが可能なものであり、表面の左右いずれか一方の上部の角部に配置される第１挿入部２００と、表面に第１挿入部２００と左右逆側に配置され、第１挿入部２００を表面側から挿入することができる貫通孔である第１貫通孔３００と、第１挿入部２００が第１貫通孔３００に挿入された状態で、上部中央に構成される第２挿入部４００と、第２挿入部４００を表面側から挿入することができる第２貫通孔５００と、を含むフードカバー１００。【選択図】図５
2020146522.tif 000002
【特許請求の範囲】
【請求項１】
第三者の飛沫が飲食料品にかかることを防止するためのフードカバーであって、
前記フードカバーは、表面と裏面とを有する折り曲げることが可能なものであり、
前記表面の左右いずれか一方の上部に配置される第１接続部と、
前記表面に前記第１接続部と左右逆側に配置され、前記第１接続部を前記表面側から接続することができる第１被接続部と、
前記第１接続部が前記第１被接続部に接続された状態で、上部中央に構成される第２接続部と、
前記第２接続部を前記表面側から接続することができる第２被接続部と、を含むフードカバー。
【請求項２】
第三者の飛沫が飲食料品にかかることを防止するためのフードカバーであって、
前記フードカバーは、表面と裏面とを有する折り曲げることが可能なものであり、
前記表面の左右いずれか一方の上部の角部に配置される第１挿入部と、
前記表面に前記第１挿入部と左右逆側に配置され、前記第１挿入部を前記表面側から挿入することができる貫通孔である第１貫通孔と、
前記第１挿入部が前記第１貫通孔に挿入された状態で、上部中央に構成される第２挿入部と、
前記第２挿入部を前記表面側から挿入することができる第２貫通孔と、を含むフードカバー。
【請求項３】
前記第２挿入部を前記第２貫通孔に挿入するため、前記第２挿入部を折り曲げる位置を表す折り曲げ線が前記表面に設けられる請求項２記載のフードカバー。
【請求項４】
前記第１挿入部が、前記第１貫通孔に挿入された後に、前記第１貫通孔の位置で折り曲げられる請求項１、２又は３記載のフードカバー。
【請求項５】
前記フードカバーが上辺、下辺、右辺及び左辺を有し、
前記上辺と前記下辺とが平行であり、
前記右辺と前記左辺とが平行である矩形状の紙材である請求項１乃至４のいずれか１項に記載のフードカバー。
【請求項６】
前記表面の右下部に設けられる第１底面部と、
前記表面の左下部に設けられる第２底面部と、を含み、
前記第１底面部は折り曲げ線である第１底面部線を有し、
前記第２底面部は折り曲げ線である第２底面部線を有し、
前記第１底面部線及び前記第２底面部線を裏面側に折ることが可能である請求項１乃至５のいずれか１項に記載のフードカバー。
【請求項７】
前記表面に広告を表示する広告掲載部を有する請求項１乃至６のいずれか１項に記載のフードカバー。
【発明の詳細な説明】
【技術分野】
【０００１】
本発明は、フードカバーに関する。
【背景技術】
【０００２】
近年、新型コロナウイルス感染症（ＣＯＶＩＤ−１９）の感染が大きな社会問題となっている。
【０００３】
そして、現時点では、新型コロナウイルス感染症（ＣＯＶＩＤ−１９）の治療法が確立されていないため、予防のため集団での飲食や外食自体も控えられる傾向にある。
【０００４】
また、対面での飲食の場合、向かい側で飲食をしている人（第三者）の唾等の飛沫が、料理に飛ぶ可能性がある。
【０００５】
特許文献１では、断熱材を用いて底とカバーになる部分とが作られ、カバー部の内側に保冷剤やカイロを入れるためのポケットが設けられたフードカバーが開示されている。
【先行技術文献】
【特許文献】
【０００６】
【特許文献１】特開２０１２−１５７４０７号公報
【発明の概要】
【発明が解決しようとする課題】
【０００７】
しかしながら、特許文献１に係る発明では、フードカバーを使用しながら飲食をすることができず、例えば向かい側等に座っている人の唾等の飛沫を防止することができない。
【０００８】
本発明の目的は、飛沫感染を防止することである。
【０００９】
本発明の他の目的は、飛沫感染を防止しつつ飲食することができるフードカバーを提供することである。
【００１０】
本発明の他の目的は、紙材から簡単に構成することができるフードカバーを提供することである。
【課題を解決するための手段】
【００１１】
本発明の第１の局面に係るフードカバーは、第三者の飛沫が飲食料品にかかることを防止するためのフードカバーであって、
前記フードカバーは、表面と裏面とを有する折り曲げることが可能なものであり、
前記表面の左右いずれか一方の上部に配置される第１接続部と、
前記表面に前記第１接続部と左右逆側に配置され、前記第１接続部を前記表面側から接続することができる第１被接続部と、
前記第１接続部が前記第１被接続部に接続された状態で、上部中央に構成される第２接続部と、
前記第２接続部を前記表面側から接続することができる第２被接続部と、を含むフードカバーである。
【００１２】
本発明であれば、紙材から構成されるものであっても容易にフードカバー（フードプロテクター）を作ることができる。
【００１３】
接続方法としては、下記の方法以外にも両面テープや面ファスナーが挙げられる。接続方法は限定されない。
【００１４】
また、紙材で立体的なフードカバーをつくることができるため、使用したフードカバーは廃棄することができる。
【００１５】
また、接続部を接続していない状態では、厚みが薄いものであるため、ストックが容易である。
【００１６】
「第三者」とは本発明のフードカバーを利用している飲食する者以外の者のことである。
【００１７】
本発明の第２の局面に係るフードカバーは、第三者の飛沫が飲食料品にかかることを防止するためのフードカバーであって、
前記フードカバーは、表面と裏面とを有する折り曲げることが可能なものであり、
前記表面に左右いずれか一方の上部に配置される第１挿入部と、
前記表面に前記第１挿入部と左右逆側に配置され、前記第１挿入部を前記表面側から挿入することができる貫通孔である第１貫通孔と、
前記第１挿入部が前記第１貫通孔に挿入された状態で、上部中央に構成される第２挿入部と、
前記第２挿入部を前記表面側から挿入することができる第２貫通孔と、を含むフードカバーである。
【００１８】
本発明であれば、両面テープ等の接着部材が不要であり、紙材のみでも簡単に立体的なフードカバーをつくることができる。
【００１９】
本発明の第３の局面に係るフードカバーは、第２の局面に係るフードカバーであって、
前記第２挿入部を前記第２貫通孔に挿入するため、前記第２挿入部を折り曲げる位置を表す折り曲げ線が前記表面に設けられるフードカバーである。
【００２０】
折り曲げ線が設けられていることにより、利用者はどの位置で第２挿入部を第２貫通孔に挿入するために折り曲げるか容易に理解することができる。
【００２１】
本発明の第４の局面に係るフードカバーは、第２の局面又は第３の局面に係るフードカバーであって、
前記第１挿入部が、前記第１貫通孔に挿入された後に、前記第１貫通孔の位置で折り曲げられるフードカバーである。
【００２２】
第１挿入部を第１貫通孔に挿入した後に、つまり、フードカバーの裏面側で第１挿入部を折り曲げる。
【００２３】
これにより、第１挿入部が第１貫通孔から抜け難くなるという効果を有する。
【００２４】
本発明の第５の局面に係るフードカバーは、第１の局面乃至第４の局面に係るフードカバーであって、
前記フードカバーが上辺、下辺、右辺及び左辺を有し、
前記上辺と前記下辺とが平行であり、
前記右辺と前記左辺とが平行である矩形状の紙材であるフードカバーである。
【００２５】
本発明であれば、Ａ３（４２０ｍｍ×２９７ｍｍ）やＢ３（５１５ｍｍ×３６４ｍｍ）の紙材であってもフードカバーに用いることができる。
【００２６】
なお、本発明に用いる紙材は、光沢紙で若干厚みのある紙が好ましい。
【００２７】
本発明の第６の局面に係るフードカバーは、第１の局面乃至第５の局面に係るフードカバーであって、
前記表面の右下部に設けられる第１底面部と、
前記表面の左下部に設けられる第２底面部と、を含み、
前記第１底面部は折り曲げ線である第１底面部線を有し、
前記第２底面部は折り曲げ線である第２底面部線を有し、
前記第１底面部線及び前記第２底面部線を裏面側に折ることが可能であるフードカバーである。
【００２８】
第１底面部及び第２底面部を有することにより、フードカバーを安定して立たせることができる。
【００２９】
なお、第１底面部と第２底面部とは、縦方向の中心軸で対称な形状であることが好ましい。
【００３０】
本発明の第７の局面に係るフードカバーは、第１の局面乃至第６の局面に係るフードカバーであって、前記表面に広告を表示する広告掲載部を有するフードカバーである。
【００３１】
広告を掲載することができることにより、飲食店等は広告掲載料を本発明のフードカバーを生産する費用に充てることができる。
【００３２】
また、本発明のフードカバーが紙材であれば、広告掲載部に容易に広告を印刷することができる。
【図面の簡単な説明】
【００３３】
【図１】本発明に係る一実施形態のフードカバーの展開図。
【図２】同実施形態のフードカバーの展開図。
【図３】同実施形態のフードカバーの正面図。
【図４】同実施形態のフードカバーの正面図。
【図５】同実施形態のフードカバーの正面図。
【図６】同実施形態のフードカバーの側面図。
【図７】同実施形態のフードカバーの上面図。
【図８】本発明に係る一実施形態のフードカバーの展開図。
【図９】同実施形態のフードカバーの正面図。
【発明を実施するための形態】
【００３４】
以下、本発明の実施形態に関して図面を参照しながら説明する。
【００３５】
＜第１実施形態＞
図１及び図２に示すように、本発明の実施形態に係るフードカバー１００は、表面（ｙ軸負方向側）及び裏面（ｙ軸正方向側）を有する折り曲げることが可能な矩形状のものであり、
表面左上部の角部に配置される接続部（第１接続部）である第１挿入部２００と、
第１挿入部２００を表面側から挿入（接続）する被接続部（第１被接続部）である第１貫通孔３００と、
第１挿入部２００が第１貫通孔３００に挿入された場合、上部中央に構成される接続部（第２接続部）である第２挿入部４００と、
第２挿入部４００を表面側から挿入（接続）する被接続部（第２被接続部）である第２貫通孔５００と、
表面に広告を掲載する広告掲載部９００と、を含む。
【００３６】
本実施形態では、フードカバー１００は、平面視（ｘｙ平面視）長方形からなり、厚み（ｚ軸方向の距離）が薄く、折り曲げることが可能である。
【００３７】
本実施形態では、フードカバー１００は、Ｂ３サイズ（縦３６４ｍｍ、横５１５ｍｍ）の紙材（光沢紙）が用いられている。
【００３８】
フードカバー１００は、上側（ｚ軸正方向側）に配置される上辺１１０と、
下側（ｚ軸負方向側）に配置される下辺１２０と、
左側（ｘ軸正方向側）に配置される左辺１３０と、
右側（ｘ軸負方向側）に配置される右辺１４０と、を有する。
【００３９】
フードカバー１００は、上辺１１０と下辺１２０とが同じ長さｗであり、左辺１３０と右辺１４０とが同じ長さｈであり、上辺１１０及び下辺１２０と、左辺１３０及び右辺１４０とは直交する矩形状のものである。
【００４０】
本実施形態では、ｗ＞ｈである平面視長方形であるが、ｗ＝ｈ又はｗ＜ｈであってもよい。
【００４１】
第１挿入部２００は、表面左上部の角部であり、本実施形態では第１折り曲げ線２１０が設けられている。
【００４２】
第１折り曲げ線２１０の距離はｄである。そして、第１折り曲げ線２１０の上辺１１０との接点から上辺１１０の中心点Ｍ１（ｗ１＝ｗ２となる点）までの距離はａである。つまりａ＜ｗ２である。
【００４３】
上辺１１０の中心点Ｍから、第１貫通孔３００の左端（ｘ軸正方向側端部）までの距離はｂである。
【００４４】
そして、ａ＝ｂの関係が成立するように第１折り曲げ線２１０及び第１貫通孔３００の位置が決定される。
【００４５】
また、上辺１１０から第１貫通孔３００までの距離はｃである。本実施形態では、ｃは１３０ｍｍである。
【００４６】
第１貫通孔３００の距離はｅであり、本実施形態ではｄ＝ｅの関係が成立する。本実施形態では、第１貫通孔３００は、上辺１１０及び下辺１２０と平行に配置されているが、平行に配置されていなくてもよい。
【００４７】
また、ｅ＝ｄであることが好ましいが、ｅ＞ｄであってもよい。
【００４８】
第１貫通孔３００は、第１仮想線６1０と対称線Ａで対称であり、かつ、第１仮想線６１０は、対称線Ｂで第１折り曲げ線２１０と対称である。
【００４９】
したがって、第１貫通孔３００及び第１折り曲げ線２１０のいずれか一方が決まれば他方の位置や長さも決まる。
【００５０】
なお、対称線Ａと対称線Ｂとは、中心Ｍ１から縦（ｚ軸方向）に引いた線（中心線）で対称であることが好ましい。
【００５１】
つまり、対称線Ａと対称線Ｂとが、中心線で対称となるように、第１仮想線６１０の位置及び長さを決定して、第１貫通孔３００及び第１折り曲げ線２１０の位置及び長さを決めてもよい。
【００５２】
なお、第１仮想線６１０、対称線Ａ及び対称線Ｂは、本実施形態では記載されていないが、記載されている構成であってもよい。
【００５３】
図３及び図４に示すように、左辺１３０上部と右辺１４０上部とを裏側方向（ｙ軸正方向）側に持ち上げ、左辺１３０上部が右辺１４０上部の上側（ｙ軸正方向側）になるように重ね、第１挿入部２００を第１貫通孔３００に挿入する。
【００５４】
図４に示すように、第１貫通孔３００に挿入された第１挿入部２００は、第１折り曲げ線２１０で折り曲げ、第１挿入部２００の先端（角部分）が左側（ｘ軸正方向側）に向くようにする。
【００５５】
これにより、接着剤やテープ等を使用しなくても、左辺１３０上部と右辺１４０上部とを接続することができる。
【００５６】
なお、本実施形態では、第１挿入部２００を接続部（第１接続部）とし、第１貫通孔３００を被接続部（第１被接続部）として接続しているが、接続部と被接続部が逆であってもよい。
【００５７】
第１挿入部２００は、第１折り曲げ線２１０で折り曲げているので、接続部分が外れ難くなるという効果を有する。
【００５８】
また、本実施形態では、左辺１３０上部が右辺１４０上部の上側になるように重ねられているが、右辺１４０上部が左辺１３０上部の上側になるように重ねられる構成であってもよい。
【００５９】
図４に示すように、第２挿入部４００は、第１挿入部２００を第１貫通孔３００に挿入した状態のフードカバー１００の上部である。
【００６０】
第２挿入部４００は、第２貫通孔５００に挿入される。具体的には、第２挿入部４００が第２折り曲げ線４１０で折り曲げられ、平たくした状態で第２貫通孔５００に挿入される。
【００６１】
本実施形態では、第２貫通孔５００は、左辺１３０側上部にのみ設けられているが、右辺１４０側上部にも設けられてもよい。
【００６２】
つまり、第２貫通孔５００と重なる部分の右辺１４０側上部にも、第２挿入部４００が挿入される貫通孔が設けられていてもよい。
【００６３】
また、本実施形態では、第２挿入部４００を接続部（第２接続部）とし、第２貫通孔５００を被接続部（第２被接続部）として接続しているが、接続部と被接続部が逆であってもよい。
【００６４】
図１及び図２に示すように、第２貫通孔５００は、対称線Ｂで第２仮想線６２０と対称である。
【００６５】
第２貫通孔５００は、第２仮想線６２０が、上辺１１０及び下辺１２０と平行になるように配置される。
【００６６】
第２貫通孔５００と対称線Ｂとによって構成される角度は６０度が好ましい。
【００６７】
フードカバー１００の表面には第２仮想線６２０の上部（ｚ軸正方向側）に第２折り曲げ線４１０が上辺１１０及び下辺１２０に平行に記載されている。
【００６８】
第２貫通孔５００の長さｆは、第２仮想線６２０と同じ長さであり、第２折り曲げ線４１０を軸として対称位置になる第２挿入線４２０の長さｇと同じ長さである。つまり、ｆ＝ｇである。
【００６９】
なお、本実施形態では、第２仮想線６２０は記載されていないが、記載されていてもよい。また、本実施形態では、ｆ＝ｇであるが、ｆ＞ｇであってもよい。
【００７０】
つまり、ｆ＝ｇが好ましいが、ｆ＞ｇであっても、第２挿入部４００を第２貫通孔５００に挿入することができる。
【００７１】
なお、第２挿入線４２０は、仮想上の線であって、実際には記載されていないが、記載されるようにしてもよい。
【００７２】
図５、図６及び図７は、組み立てられたフードカバー１００の図であり、フードカバー１００の内側に作られた空間に料理やドリンク等の飲食料品７００を配置する。
【００７３】
飲食料品７００は、フードカバー１００の内側の空間からはみ出てもよい。フードカバー１００は、飲食料品７００の少なくとも一部を覆うことが可能なものが好ましいが、飲食料品７００の前方（ｙ軸負方向側）に配置されればよい。
【００７４】
図１及び図６に示すように、広告掲載部９００は、表面に広告を掲載するところである。本実施形態では、フードカバー１００はＢ３サイズの光沢紙であるため、容易に広告を印刷することができる。
【００７５】
また、広告掲載部９００が設けられていることにより、本発明に係るフードカバー１００を活用する飲食店は、広告料の収入があるため、フードカバー１００を生産する費用を抑えることができる。
【００７６】
また、飲食をしている人達にとっては、フードカバー１００によって、目の前で飲食している人の飛沫が飲食料品に入るのを防止できるだけでなく、広告掲載部９００に掲載されている広告が目に入ってくるため、広告商品を注文し易い。そのため、その広告商品の注文が増えやすいという効果を有する。
【００７７】
＜第２実施形態＞
第２実施形態では、第１実施形態と同様の内容に関しては説明を省略又は簡略して説明する。
【００７８】
第２実施形態では、第１実施形態のフードカバー１００の下方（ｚ軸負方向側）に底面部８００を備える構成である。
【００７９】
底面部８００は、右辺１４０側の下辺１２０側に設けられる第１底面部８１０と、
左辺１３０側の下辺１２０側に設けられる第２底面部８２０と、を含む。
【００８０】
第１底面部８１０には、下辺１２０側から右辺１４０側に伸びる折り曲げ線である第１底面部線８１１が設けられている。
【００８１】
第１底面部８１０は、下辺１２０部分の長さがｗ３であり、右辺１４０部分の長さがｈ１である。
【００８２】
本実施形態では、下辺１２０の長さがｗであり、ｗ３は、ｗの１／６である。
【００８３】
つまり、本実施形態では、下辺１２０の長さが５１５ｍｍであるため、その約１／６である８６ｍｍがｗ３となる。本実施形態では、ｈ１は１０ｍｍである。
【００８４】
第２底面部８２０には、下辺１２０側から左辺１３０側に伸びる折り曲げ線である第２底面部線８２１が設けられている。
【００８５】
第２底面部８２０は、下辺１２０部分の長さがｗ４であり、左辺１３０部分の長さがｈ２である。
【００８６】
本実施形態では、下辺１２０の長さがｗであり、ｗ４は、ｗの１／６である。
【００８７】
つまり、本実施形態では、下辺１２０の長さが５１５ｍｍであるため、その約１／６である８６ｍｍがｗ４となる。本実施形態では、ｈ２は１０ｍｍである。
【００８８】
なお、ｗ３＝ｗ４、ｈ１＝ｈ２であることが好ましい。
【００８９】
第１底面部８１０及び第２底面部８２０を設けることにより、フードカバー１００が安定して載置されるという効果を有する。
【００９０】
本発明は、その趣旨を逸脱しない範囲で種々の改良、修正、又は変形を加えた態様でも実施できる。
【００９１】
本実施形態では、左辺１３０側を右辺１４０側の上（ｙ軸正方向側）に重ねる構成であったが、右辺１４０側を左辺１３０側の上に重ねる構成であってもよい。
【００９２】
この場合、第１挿入部２００と第１貫通孔３００の位置が左右逆に配置される。また、この場合、第２貫通孔５００の位置も左右逆に配置される。
【符号の説明】
【００９３】
１００…フードカバー
２００…第１挿入部（第１接続部）
２１０…第１折り曲げ線
３００…第１貫通孔（第１被接続部）
４００…第２挿入部（第２接続部）
４１０…第２折り曲げ線
４２０…第２挿入線
５００…第２貫通孔（第２被接続部）
６１０…第１仮想線
６２０…第２仮想線
７００…飲食料品
８００…底面部
８１０…第１底面部
８１１…第１底面部線
８２０…第２底面部
８２１…第２底面部線
９００…広告掲載部
【図１】
2020146522.tif 000003
【図２】
2020146522.tif 000004
【図３】
2020146522.tif 000005
【図４】
2020146522.tif 000006
【図５】
2020146522.tif 000007
【図６】
2020146522.tif 000008
【図７】
2020146522.tif 000009
【図８】
2020146522.tif 000010
【図９】
2020146522.tif 000011